(57)【特許請求の範囲】
【請求項１】
コンピュータソフトウェアが記録された読み取り専用の第１の記録媒体と、書き込み可能な第２の記録媒体とが用いられ、
前記第１の記録媒体に予め付されている固有のボリュームシリアル番号および第２の記録媒体に予め付されている固有のボリュームシリアル番号が読み取られ、
これらのボリュームシリアル番号が前記第２の記録媒体に読み取り可能なインストール情報番号としてそれぞれ記録されるとともに、前記第１の記録媒体あるいは第２の記録媒体の何れか一方に、
インストール時に、
前記第２の記録媒体に予め付されている固有のボリュームシリアル番号と、第２の記録媒体に記録されている第２の記録媒体のインストール情報番号との比較が行われ、異なる場合にはインストールが防止され、
さらに、
前記第１の記録媒体に予め付されている固有のボリュームシリアル番号と、第２の記録媒体に記録されている第１の記録媒体のインストール情報番号との比較が行われ、異なる場合にはインストールが防止され、
さらに、
第２の記録媒体に、ハードウェアの記録媒体に予め付されている固有のボリュームシリアル番号がない場合、ハードウェアの記録媒体に予め付されている固有のボリュームシリアル番号が、前記第２の記録媒体に、ハードウェアの読み取り可能なインストール情報番号として記録され、
第２の記録媒体に、ハードウェアの記録媒体に予め付されている固有のボリュームシリアル番号がある場合、前記ハードウェアの記録媒体のボリュームシリアル番号と、第２の記録媒体に記録されているハードウェアのインストール情報番号との比較が行われ、異なる場合にはインストールを防止する処理を行うプログラムが書き込まれ、
これらの第１の記録媒体と第２の記録媒体とが一つのパッケージとされることを特徴とする違法使用防止機能を備えた記録媒体の製造方法。
【請求項２】
コンピュータソフトウェアが記録された読み取り専用の第１の記録媒体と、書き込み可能な第２の記録媒体とが用いられ、
前記第１の記録媒体に予め付されている固有のボリュームシリアル番号および第２の記録媒体に予め付されている固有のボリュームシリアル番号が読み取られる読取手段と、
これらのボリュームシリアル番号が前記第２の記録媒体に読み取り可能なインストール情報番号としてそれぞれ記録されるとともに、前記第１の記録媒体あるいは第２の記録媒体の何れか一方に、インストール時に、
前記第２の記録媒体に予め付されている固有のボリュームシリアル番号と、第２の記録媒体に記録されている第２の記録媒体のインストール情報番号との比較が行われ、異なる場合にはインストールが防止され、
さらに、
前記第１の記録媒体に予め付されている固有のボリュームシリアル番号と、第２の記録媒体に記録されている第１の記録媒体のインストール情報番号との比較が行われ、異なる場合にはインストールが防止され、
さらに、
第２の記録媒体に、ハードウェアの記録媒体に予め付されている固有のボリュームシリアル番号がない場合、ハードウェアの記録媒体に予め付されている固有のボリュームシリアル番号が、前記第２の記録媒体に、ハードウェアの読み取り可能なインストール情報番号として記録され、
第２の記録媒体に、ハードウェアの記録媒体に予め付されている固有のボリュームシリアル番号がある場合、前記ハードウェアの記録媒体のボリュームシリアル番号と、第２の記録媒体に記録されているハードウェアのインストール情報番号との比較が行われ、異なる場合にはインストールを防止する処理を行うプログラムを書き込み、インストールを防止する処理が行われるプログラムを書き込む書込手段と、
これらの第１の記録媒体と第２の記録媒体とが一つのパッケージとされることを特徴とする違法使用防止機能を備えた記録媒体の製造装置。
【発明の詳細な説明】
技術分野
本発明は、コンピュータソフトウェアが記録された記録媒体を複製し、この複製された記録媒体によってハードウェアにコピーすることを防止する機能いわゆる違法コピー防止機能や、複製された記録媒体に記録されているコンピュータソフトウェアの使用を防止する機能といった、違法使用防止機能を備えた記録媒体およびその製造方法ならびにその製造装置に関するものである。
技術背景
一般に、市販されているコンピュータソフトウェアは、記録媒体に記録されて販売され、その正規の記録媒体によってのみハードウェア（コンピュータ）へコピー（インストール）することが許可された形態で販売されているが、この記録媒体を複製して複数のハードウェアへインストールすることが可能であるのが実情である。
また、近年では、コンピュータソフトウェアの大容量化に伴い、このコンピュータソフトウェアをハードウェアへインストールすることなく、記録媒体から直接読み込んでコンピュータソフトウェアを起動することが行われているが、この場合においても、前記記録媒体を複製してコンピュータソフトウェアを多数のハードウェア上で起動することが可能である。
これらの行為は、コンピュータソフトウェアの違法使用であるが、この違法使用を防止するための対策としては、製品毎にシリアル番号を付しておき、インストール時、あるいは、コンピュータソフトウェアの起動時にこのシリアル番号の入力を義務づける方法が採られているが、このシリアル番号は、製品を購入したユーザ本人であれば知り得る情報であることから、製品を購入したユーザが、他のユーザへシリアル番号を知らせた場合、違法なインストールや複製された記録媒体でコンピュータソフトウェアを起動することを防止することはできない。
また、このような行為が違法であることを使用許諾書等によってユーザへ告知して、違法使用を防止するような対策も実施されているが、ユーザのモラルに頼らざるを得ず、実効性が期待できないのが実情である。
したがって、本発明は、複製された記録媒体によって、この記録媒体に記録されているコンピュータソフトウェアをインストールすること、あるいは、複製された記録媒体に記録されたコンピュータソフトウェアの起動を強制的に防止することのできる違法使用防止機能を備えた記録媒体およびその製造方法ならびにその製造装置を提供することを目的とするものである。
発明の開示
本発明は、コンピュータソフトウェアが記録された読み取り専用の第１の記録媒体と、書き込み可能な第２の記録媒体とを用い、前記第１の記録媒体に予め付されている固有のボリュームシリアル番号および第２の記録媒体に予め付されている固有のボリュームシリアル番号を読み取り、これらのボリュームシリアル番号を前記第２の記録媒体に読み取り可能なインストール情報番号としてそれぞれ記録し、これらの第１の記録媒体と第２の記録媒体とを一つのパッケージとすることを特徴とするものである。
ここで、ハードウェアの記録媒体に付されるボリュームシリアル番号は、そのフォーマット時において、フォーマット用のソフトウェアが記録媒体に無作為に自動的に割り当てるもので、たとえば９桁の数値で構成され、第１の記録媒体や第２の記録媒体を複製すると、複製された第１の記録媒体および第２の記録媒体には新たなボリュームシリアル番号が付されるが、複製された第２の記録媒体には、正規の第１の記録媒体のインストール情報番号、ならびに、第２の記録媒体のインストール情報番号が記録される。
そして、前述の方法により記録媒体を製造すると、第２の記録媒体に記録される２つの正規のインストール情報番号を、第１の記録媒体および第２の記録媒体に付されているボリュームシリアル番号とを一致させておくことができる。
したがって、これらのボリュームシリアル番号とインストール情報信号との比較を行い、これらが異なる場合に、第１の記録媒体あるいは第２の記録媒体が複製されていると判断でき、これに基づき違法なインストール、あるいは、違法なコンピュータソフトウェアの起動といった違法使用を防止することができる。
また、本発明は、コンピュータソフトウェアが記録される書き込み可能な記録媒体を製造する際に、この記録媒体に予め付されている固有のボリュームシリアル番号を読み取り、このボリュームシリアル番号を、前記コンピュータソフトウェア中に読み取り可能なインストール情報番号として格納した後に、このコンピュータソフトウェアを記録媒体に記録することを特徴とするものである。
このような方法によって記録媒体を製造した場合においても、複製された書き込み可能な記録媒体による違法なインストール、あるいは、違法なコンピュータソフトウェアの起動といった違法使用を防止することができる。
さらに、本発明は、コンピュータソフトウェアが記録される読み取り専用の記録媒体を製造する際に、この記録媒体に予め付されている固有のボリュームシリアル番号を読み取り、このボリュームシリアル番号を、前記コンピュータソフトウェア中に読み取り可能なインストール情報番号として格納した後に、このコンピュータソフトウェアを記録媒体に記録することを特徴とするものである。
このような方法によって記録媒体を製造した場合においても、複製された書き込み可能な記録媒体による違法なインストール、あるいは、違法なコンピュータソフトウェアの起動といった違法使用を防止することができる。
そして、本発明は、前記インストール情報番号を暗号化することにより、インストール情報番号の改竄をも防止して、一層違法使用防止効果を挙げることができる。
さらに、本発明の製造装置によれば、ボリュームシリアル番号の読み取りならびにインストール情報番号としての書き込みを確実かつ連続的に行って記録媒体を有効に製造することができる。
【図面の簡単な説明】
第１図は、本発明を実施するためのシステム構成を示す概略図である。
第２図は、本発明の製造装置の一実施形態を示す概略図である。
第３図は、本発明の一実施形態における処理フロー図である。
第４図は、本発明の一実施形態を用いたコピー防止処理の処理フロー図である。
第５図は、本発明の第１の実施形態に用いられる記録媒体におけるボリュームシリアル番号およびインストール情報番号の記録状態を示す概略図である。
第６図は、本発明の第２の実施形態を説明するための記録媒体におけるボリュームシリアル番号およびインストール情報番号の記録状態を示す概略図である。
第７図は、本発明の一実施形態を用いたコピー防止処理の処理フロー図である。
第８図は、本発明の第３の実施形態を説明するための記録媒体におけるボリュームシリアル番号およびインストール情報番号の記録状態を示す概略図である。
第９図は、本発明の一実施形態を用いたコピー防止処理の処理フロー図である。
第１０図は、本発明の一実施形態を用いたコピー防止処理の処理フロー図である。
第１１図は、本発明の一実施形態を用いたコピー防止処理の処理フロー図である。
第１２図は、本発明の製造装置の他の実施形態を示す概略図である。
発明を実施するための最良の形態
本発明をより詳細に説明するために、添付図面を参照してこれを説明する。
第１図および第２図は、本発明の第１の実施形態を実施するために用いられる製造装置の概略構成を示すもので、記録媒体の製造プログラムが記録されているハードウェアとしてのハードディスク（ＨＤ）２が装着されたコンピュータ１と、コンピュータソフトウェアが記録された読み取り専用の第１の記録媒体としてのＣＤ−ＲＯＭ（ＣＤ）３と、書き込み可能な第２の記録媒体としてのフロッピーディスク（ＦＤ）４と、前記ＣＤ３の読み取りを行うＣＤ−ＲＯＭドライブ５と、ＦＤ４の読み書きを行うフロッピーディスクドライブ６が設けられている。
ここで、前記ＣＤ３およびＦＤ４には、第１図（ｂ）に示すように、そのフォーマット時において無作為に自動的に割り当てられるボリュームシリアル番号；ＶＳＮ（ＣＤ１）およびボリュームシリアル番号；ＶＳＮ（ＦＤ１）が付されている。
そして、前述したＣＤ−ＲＯＭドライブ５やフロッピーディスクドライブ６等の読み取り装置あるいは書き込み装置として、磁気的あるいは光学的等、記録媒体の種類に応じて適宜選択することができる。
また、前記ＣＤ−ＲＯＭドライブ５には、図２に示すように、ＣＤ３を所定間隔をおいて搬送する搬送装置Ｌ１が設けられて、ＣＤ３をＣＤ−ＲＯＭドライブ５へ１枚ずつ供給するとともに、処理後にＣＤ−ＲＯＭドライブ５から排出されるＣＤ３を後段の処理装置へ搬送するようになっている。
さらに、前記フロッピーディスクドライブ６には、ＦＤ４を所定間隔をおいて搬送する搬送装置Ｌ２が設けられて、ＦＤ４をフロッピーディスクドライブ６へ１枚ずつ供給するとともに、処理後にフロッピーディスクドライブ６から排出されるＦＤ４を後段の処理装置へ搬送するようになっている。
そして、図２においては、理解を容易にするために、フロッピーディスクドライブ６を、読み取り部分（６ａ）と書き込み部分（６ｂ）とに分けて示してある。
ついで、本発明の一実施形態に係わる記録媒体の製造方法について説明すれば、まず、ＣＤ−ＲＯＭドライブ５とフロッピーディスクドライブ６に、搬送装置Ｌ１・Ｌ２によって、それぞれＣＤ３とＦＤ４を搬入して製造プログラムを起動する。
この製造プログラムが起動されると、第３図に示すように、ステップＳ５０において、ＣＤ３に付されているボリュームシリアル番号；ＶＳＮ（ＣＤ１）が、ＣＤ−ＲＯＭドライブ６において読み取られた後に、つぎのステップＳ５１において、このＶＳＮ（ＣＤ１）が、フロッピーディスクドライブ６の書き込み部６ｂにおいて、ＦＤ４に読み取り可能な情報としてのインストール情報番号；ＩＩＮ（ＣＤ１）として記録され、ついで、ステップＳ５２において、ＦＤ４に付されているボリュームシリアル番号；ＶＳＮ（ＦＤ１）が、フロッピーディスクドライブ６の読み取り部６ａにおいて読み取られた後に、つぎのステップＳ５３において、このＶＳＮ（ＦＤ１）が、フロッピーディスクドライブ６の書き込み部６ｂにおいて、読み取り可能な情報としてのインストール情報番号；ＩＩＮ（ＦＤ１）として記録されて処理を終了する。
このような処理がなされた後に、前記ＣＤ３およびＦＤ４は、搬送装置Ｌ１・Ｌ２によって後段のパッケージ装置等へ搬送されて、これらが一組としてパッケージ化されて製品となされる。
ついで、このように製造された記録媒体によってなされるコピー防止処理について説明する。
ここで、図１に示したＨＤ２には、そのフォーマット時に無作為に自動的に割り当てられるボリュームシリアル番号；ＶＳＮ（ＨＤ１）が記録されていることを前提とする。
このボリュームシリアル番号；ＶＳＮは、通常９桁の１０進数の数値で構成されており、同一のボリュームシリアル番号が割り当てられる確率は、９億９９９９万９９９９分の１である。
また、この数値に関して任意の演算を行うことにより暗号化することにより、さらに、前記確率を高めることができる。
ついで、このような主構成部材を用いて本発明の第１の実施形態について第４図の処理フロー図と第５図を参照して説明する。
まず、コンピュータソフトウェアをインストールしようとするコンピュータ１に、前述のようにして製造されたＣＤ３とＦＤ４を挿入し、たとえば、ＣＤ３に記録されているインストーラを立ち上げてインストールを開始する。
そして、このインストーラには、後述する違法使用防止を実施するためのプログラムが組み込まれており、このプログラムを前記ＣＤ３やＦＤ４に記録しておくことも、また、書き込み可能なＦＤ４に、インストール情報番号ＩＩＮ（ＣＤ１）やＩＩＮ（ＦＤ１）とともに書き込むようにしても良い。
インストールが開始されると、ＦＤ４に保存されているＨＤ２のインストール情報番号；ＩＩＮ（ＨＤ１）を読み取り（ステップＳ１）、ついで、このＩＩＮ（ＨＤ１）が記録されているか否かを判断し（ステップＳ２）、ＩＩＮ（ＨＤ１）が記録されていない場合には、第１回目のインストールであると判断されて、つぎのステップＳ３において、前記ＩＩＮ（ＨＤ１）をＦＤ４に記録した後に、ＨＤ２へのインストールを行った後に（ステップＳ４）、処理を終了する。
このように、正規のＣＤ３およびＦＤ４を用いて第１回目のインストールを行うと、第５図に示すように、インストールを行ったＨＤ２のボリュームシリアル番号；ＶＳＮ（ＨＤ１）が、インストール情報番号；ＩＩＮ（ＨＤ１）としてＦＤ４に記録される。
一方、前記ステップＳ２において、ＦＤ４にＩＩＮ（ＨＤ１）が記録されていると判断された場合には、１回目のインストールが何れかのハードウェアへ行われたと判断され、つぎのステップＳ５へ移行して、当該コンピュータ１のＨＤ２のＶＳＮ（ＨＤ１）を読み取り、このＨＤ２から読み取られたＶＳＮ（ＨＤ１）とＦＤ４から読み取られたＩＩＮ（ＨＤ１）との比較を行い（ステップＳ６）、これらが等しいことを条件として、ステップＳ４へ移行してインストールを許可し、異なると判断された場合には、インストールが許可されたハードディスクではないと判断されて、インストールを拒否し（ステップＳ７）、処理を終了する。
すなわち、このような処理により、正規のＣＤ３およびＦＤ４を用いた最初のインストール時には、インストールする対象のコンピュータ１の選別は行われずに、インストールが行われ、１回のインストールが行われた後においては、最初にインストールしたコンピュータ１のみに再インストールが許可されることとなり、違法なコピーを防止することができる。
ついで、複製されたＣＤ３を用いてインストールを行う場合についてのコピー防止処理を第６図および第７図を参照して説明する。
ＣＤ３を複製すると、正規のＣＤ３に記録されている情報はすべて複製されたＣＤ３へ複製されるが、この複製されたＣＤ３には、第６図に示すように、正規のＣＤ３とは異なるボリュームシリアル番号；ＶＳＮ（ＣＤ２）が割り当てられている。
そこで、複製されたＣＤ３と正規のＦＤ４を用いてインストールを開始すると、まず、ＦＤ４に記録されているＣＤ３の正規のＩＩＮ（ＣＤ１）を読み取り（ステップＳ１０）、ついで、ＣＤ３のボリュームシリアル番号；ＶＳＮ（ＣＤ）を読み取った後に（ステップＳ１１）、これらのＩＩＮ（ＣＤ１）とＶＳＮ（ＣＤ）との比較を行う（ステップＳ１２）。
そして、これらが等しい場合、すなわち、読み取られたＶＳＮ（ＣＤ）＝正規のＣＤ３のボリュームシリアル番号；ＶＳＮ（ＣＤ１）＝正規のインストール情報番号；ＩＩＮ（ＣＤ１）となり、挿入されたＣＤ３は正規のＣＤであると判断されて、つぎのステップＳ１３へ移行してインストールを許可して処理を終了する。
一方、複製されたＣＤ３であると、そのボリュームシリアル番号はＶＳＮ（ＣＤ２）として割り当てられていることから、ステップＳ１２において、読み取られたＶＳＮ（ＣＤ）＝ＶＳＮ（ＣＤ２）≠正規のＣＤ３ボリュームシリアル番号；ＶＳＮ（ＣＤ１）＝正規のインストール情報番号；ＩＩＮ（ＣＤ１）、すなわち、読み取られたＶＳＮ（ＣＤ）＝ＶＳＮ（ＣＤ２）≠正規のＩＩＮ（ＣＤ１）と判断されるから、この挿入されたＣＤ３が複製されたものと判断し（ステップＳ１４）、インストールを拒否して処理を終了する。
このような処理により、複製されたＣＤ３によるインストールを回避することができる。
さらに、第８図および第９図を参照して複製されたＦＤ４を用いてインストールを行う場合についてのコピー防止処理について説明する。
ＦＤ４を複製すると、正規のＦＤ４に記録されている情報はすべて複製されたＦＤ４へ複製されるが、この複製されたＦＤ４には、第８図に示すように、正規のＦＤ４とは異なるボリュームシリアル番号；ＶＳＮ（ＦＤ２）が割り当てられているが、このＦＤ４には正規のＦＤ４に記録されている正規のインストール情報番号；ＩＩＮ（ＣＤ１）、および、ＩＩＮ（ＦＤ１）が複製されている。
そこで、複製されたＦＤ４と正規のＣＤ１を用いてインストールを開始すると、まず、ＦＤ４に記録されているＦＤ４の正規のＩＩＮ（ＦＤ１）を読み取り（ステップＳ２０）、ついで、ＦＤ４のボリュームシリアル番号；ＶＳＮ（ＦＤ）を読み取った後に（ステップＳ２１）、これらのＩＩＮ（ＦＤ１）とＶＳＮ（ＦＤ）との比較を行う（ステップＳ２２）。
そして、これらが等しい場合、すなわち、読み取られたＶＳＮ（ＦＤ）＝正規のＦＤ４のボリュームシリアル番号；ＶＳＮ（ＦＤ１）＝正規のインストール情報番号；ＩＩＮ（ＦＤ１）となり、挿入されたＦＤ４は正規のＦＤであると判断されて、つぎのステップＳ２３へ移行してインストールを許可して処理を終了する。
一方、複製されたＦＤ４であると、そのボリュームシリアル番号はＶＳＮ（ＦＤ２）として割り当てられていることから、ステップＳ２２において、読み取られたＶＳＮ（ＦＤ）＝ＶＳＮ（ＦＤ２）≠正規のＦＤ４のボリュームシリアル番号；ＶＳＮ（ＦＤ１）＝正規のインストール情報番号；ＩＩＮ（ＦＤ１）、すなわち、読み取られたＶＳＮ（ＦＤ）＝ＶＳＮ（ＦＤ２）≠正規のＩＩＮ（ＦＤ１）と判断されるから、この挿入されたＦＤ４が複製されたものと判断し（ステップＳ２４）、インストールを拒否して処理を終了する。
このような処理により、複製されたＦＤ４によるインストールを回避することができる。
そして、このような不正使用防止を行うためのプログラムは、インストール情報番号；ＩＩＮ（ＦＤ１）とともにＦＤ４へ書き込んでおけばよい。
このように、本実施形態の記録媒体によると、異なる複数のコンピュータ１へのインストールを防止することができるとともに、複製されたＣＤ３やＦＤ４を用いたインストールをも防止することができ、また、本実施形態の製造方法および製造装置によると、前記記録媒体を容易にかつ確実に得ることができる。
なお、前記各実施形態においては、異なる複数のコンピュータ１へのインストール防止、および、複製されたＣＤ３やＦＤ４を用いたインストール防止の各処理を別個に行うようにした例について示したが、第１０図および第１１図に示すように、これらを連続して行う処理も可能である。
この図において、ステップＳ３０からステップＳ３３までが、複製されたＦＤに対する処理であり、ステップＳ３４からステップＳ３７までが、複製されたＣＤに対する処理であり、さらに、ステップＳ３８からステップＳ４４までが、異なる複数のコンピュータ１へのインストール防止処理である。
このような処理とすることにより、一連の処理によってすべての形態の違法コピー対して対処することが可能となる。
そして、このような違法使用防止処理は、コンピュータソフトウェアを書き込み可能な単一の記録媒体に記録した形態である場合、たとえば、ＦＤ単体、あるいは、ＣＤＲ単体についても同様に適用可能であることはもちろんである。
ここで、このような違法使用機能を備えた記録媒体の製造は、たとえば、第１２図に示す装置を用いることによって可能である。
この装置は、書き込み可能な記録媒体としてＦＤ４を例示したものであり、ＦＤ４を所定間隔をおいて搬送する搬送装置Ｌ２と、この搬送装置Ｌ２の途中に設けられ、ＦＤ４に記録されているボリュームシリアル番号；ＶＳＮ（ＦＤ１）を読み取るフロッピーディスクドライブ６の読み取り部６ａと、この読み取り部６ａの後段に設けられ、この読み取り部６ａにおいて読み取られた前記ＶＳＮ（ＦＤ１）を、インストール情報番号；ＩＩＮ（ＦＤ１）として書き込む書き込み部６ｂとを配置し、搬送されてくるＦＤ４毎にボリュームシリアル番号；ＶＳＮ（ＦＤ１）を読み取るとともに、このボリュームシリアル番号；ＶＳＮ（ＦＤ１）を、このボリュームシリアル番号；ＶＳＮ（ＦＤ１）が付与されているＦＤ４に、このボリュームシリアル番号；ＶＳＮ（ＦＤ１）をインストール情報番号；ＩＩＮ（ＦＤ１）として書き込むものである。
そして、このようなインストール情報番号；ＩＩＮ（ＦＤ１）をＣＰＵ７からの指令により不正防止処理を行うプログラム（インストーラ）とともにＦＤ４へ記録しておく。
ここで、書き込み可能な記録媒体がＣＤＲである場合には、ＶＳＮ（ＦＤ１）がＶＳＮ（ＣＤ１）、また、ＩＮＮ（ＦＤ１）がＩＮＮ（ＣＤ１）となる。
さらに、出荷後の書き込みが不可能な読み取り専用の記録媒体として使用されているＣＤ−ＲＯＭにおいては、このＣＤ−ＲＯＭの製造時、すなわち、コンピュータソフトウェアを書き込む際に、ＣＤ−ＲＯＭに固有に付されるボリュームシリアル番号を読み取った後に、このボリュームシリアル番号ＶＳＮを、インストール情報番号ＩＩＮとしてコンピュータソフトウェア（違法使用防止プログラムを含む）とともに書き込んでおくことにより、インストール時に前記ボリュームシリアル番号とインストール情報番号との比較を行い、これらが異なる場合にインストールを防止することで、ＣＤ−ＲＯＭ単体でも違法使用を防止することができる。
一方、前記各実施形態においては、違法コピーを防止するのに適用した例について示したが、コンピュータソフトウェアの起動時に、前記ボリュームシリアル番号とインストール情報番号との比較を行い、これらが異なる場合に、記録媒体が複製されていると判断されることから、この場合に、コンピュータソフトウェアの起動を規則して、違法使用を防止することも可能である。
産業上の利用可能性
以上のように、本発明によれば、コンピュータソフトウェアが記録された記録媒体の販売に当たり、これらの記録媒体を複製した場合におけるインストールを防止し、また、複製された記録媒体に記録されたコンピュータソフトウェアの起動を防止して、コンピュータソフトウェアの違法使用を確実に防止することができる記録媒体およびその製造方法ならびに製造装置を得ることができる。
【図１】
0003755900.tif 000002
【図２】
0003755900.tif 000003
【図３】
0003755900.tif 000004
【図４】
0003755900.tif 000005
【図５】
0003755900.tif 000006
【図６】
0003755900.tif 000007
【図７】
0003755900.tif 000008
【図８】
0003755900.tif 000009
【図９】
0003755900.tif 000010
【図１０】
0003755900.tif 000011
【図１１】
0003755900.tif 000012
【図１２】
0003755900.tif 000013